(57)【要約】  ノイズフィルタ内の装置側にある第１の対地コンデンサと電源側にある第２の対地コンデンサは同一のフィルタグラウンド板に接続され、第２の対地コンデンサ側で装置筐体に接地された場合、第１の対地コンデンサを介してフィルタグラウンド板へ流れたノイズ電流の一部が第２の対地コンデンサを介して電源供給部へ漏れ出てしまう。複数の対地コンデンサを有するノイズフィルタは、対地コンデンサの接地用グラウンド（フィルタ筐体グラウンド）を対地コンデンサ毎に別体とし、装置筐体グラウンドにそれぞれのフィルタ筐体グラウンドが接続するようにされる。
2015012050.tif 000002
【特許請求の範囲】
【請求項１】
第１および第２の端子を有する第１の対地コンデンサと、
第１および第２の端子を有する第２の対地コンデンサと、
第１および第２の端子を有する第１のチョークコイルと、
第１の筐体部品と、
第２の筐体部品と、
を具備し、
前記第１の対地コンデンサの前記第１の端子は前記第１の筐体部品と接続され、
前記第２の対地コンデンサの前記第１の端子は前記第２の筐体部品と接続され、
前記第１のチョークコイルの前記第１の端子は、前記第１の対地コンデンサの前記第２の端子に接続され、
前記第１のチョークコイルの前記第２の端子は、前記第２の対地コンデンサの前記第２の端子に接続され、
前記第１の筐体部品と前記第２の筐体部品とは、別体で構成され、
前記第１の筐体部品および前記第２の筐体部品は、装置筐体接地に接続するようにされる、
ノイズフィルタ。
【請求項２】
前記第１の筐体部品および前記第２の筐体部品は、対向するように配置され、
前記第１の筐体部品と前記第２の筐体部品との間に、前記第１の対地コンデンサ、前記第１のチョークコイルおよび前記第２の対地コンデンサが配置され、
前記第１の筐体部品の一端と前記第２の筐体部品の一端とが前記装置接地に接続するようにされる、
請求項１のノイズフィルタ。
【請求項３】
前記第２の筐体部品は、前記第１の筐体部品にスペーサを介して配置され、
前記第１の対地コンデンサに近い側のスペーサは絶縁性であり、
前記装置接地に近い側のスペーサは導電性であり、
前記第１の筐体部品の一端は前記装置接地に接続するようにされ、
前記第２の筐体部品の一端は前記導電性スペーサを介して前記装置接地に接続するようにされる、
請求項１のノイズフィルタ。
【請求項４】
前記導電性スペーサは導電板である、
請求項３のノイズフィルタ。
【請求項５】
前記第２の筐体部品は、前記第１の筐体部品の一部にスリットを入れることにより構成され、
前記スリットは、前記第１の対地コンデンサに近い側にあり、
前記第１の筐体部品の一端は前記装置接地に接続するようにされ、
前記第２の筐体部品の一端は前記第１の筐体部品の一端を介して前記装置接地に接続するようにされる、
請求項１のノイズフィルタ。
【請求項６】
前記第１および第２の筐体部部品は、接地ストラップである、
請求項１のノイズフィルタ。
【請求項７】
前記第１および第２の対地コンデンサと前記第１のチョークコイルとはケースに格納されており、
前記第１および第２の筐体部品は、前記ケースの一面に配置されている
請求項１のノイズフィルタ。
【請求項８】
前記第１のコンデンサの前記第１の端子が前記第１の筐体部品に接続される箇所は、前記第２のコンデンサの前記第１の端子が前記第２の筐体部品に接続される箇所よりも装置筐体接地から離れるようにされる、
請求項１のノイズフィルタ。
【請求項９】
第１および第２の端子を有する第３の対地コンデンサと、
第１および第２の端子を有する第４の対地コンデンサと、
第１および第２の端子を有する第２のチョークコイルと、
を具備し、
前記第３の対地コンデンサの前記第１の端子は前記第１の筐体部品に接続され、
前記第４の対地コンデンサの前記第１の端子は前記第２の筐体部品に接続され、
前記第２のチョークコイルの前記第１の端子は前記第３の対地コンデンサの前記第２の端子に接続され、
前記第２のチョークコイルの前記第２の端子は前記第４の対地コンデンサの前記第２の端子に接続される、
請求項１のノイズフィルタ。
【請求項１０】
第１および第２の端子を有する第５の対地コンデンサと、
第１および第２の端子を有する第６の対地コンデンサと、
第１および第２の端子を有する第３のチョークコイルと、
を具備し、
前記第５の対地コンデンサの前記第１の端子が前記第１の筐体部品に接続され、
前記第６の対地コンデンサの前記第１の端子が前記第２の筐体部品に接続され、
前記第３のチョークコイルの前記第１の端子は、前記第５の対地コンデンサの前記第２の端子に接続され、
前記第２のチョークコイルの前記第２の端子は、前記第６の対地コンデンサの前記第２の端子に接続される、
請求項９のノイズフィルタ。
【請求項１１】
請求項１から１０のいずれか１項のノイズフィルタを具備し、
前記ノイズフィルタが電源に接続するようにされる、
高電圧発生装置。
【請求項１２】
整流回路と、
スイッチング回路と、
高圧発生用トランスと、
を具備する、
請求項１１の高電圧発生装置。
【請求項１３】
請求項１１の高電圧発生装置を具備する、
医療用機器。
【請求項１４】
Ｘ線管球を具備する、
請求項１３の医療用機器。
【請求項１５】
第１および第２の端子を有する第１の対地コンデンサと、
第１および第２の端子を有する第２の対地コンデンサと、
第１および第２の端子を有する第１のチョークコイルと、
第１の筐体部品と、
第２の筐体部品と、
を具備し、
前記第１の対地コンデンサの前記第１の端子は前記第１の筐体部品と接続され、
前記第２の対地コンデンサの前記第１の端子は前記第２の筐体部品と接続され、
前記第１のチョークコイルの前記第１の端子は、前記第１の対地コンデンサの前記第２の端子に接続され、
前記第１のチョークコイルの前記第２の端子は、前記第２の対地コンデンサの前記第２の端子に接続され、
前記第１の筐体部品と前記第２の筐体部品とは、別体で構成され、
前記第１の対地コンデンサの前記第２の端子は装置側のラインと接続するようにされ、
前記第２の対地コンデンサの前記第２の端子は電源側のラインと接続するようにされ、
前記第１の筐体部品および前記第２の筐体部品は、装置筐体接地に接続するようにされる、
前記第１のコンデンサの前記第１の端子が前記第１の筐体部品に接続される箇所は、前記第２のコンデンサの前記第１の端子が前記第２の筐体部品に接続される箇所よりも前記装置筐体接地から離れるようにされる、
ノイズフィルタ。
【発明の詳細な説明】
【技術分野】
【０００１】
本開示は、ノイズフィルタに関し、例えば電源ラインへのノイズ放出に対するノイズフィルタに適用可能である。
【背景技術】
【０００２】
各装置は共通の電源ラインを通して接続されており、ほかの装置で発生したノイズによって誤動作したり、逆にほかの装置を誤動作させたりすることがある。装置のＡＣ電源部は、ノイズエネルギーが侵入する入り口であるとともに、各装置で発生するノイズの出口でもある。この出入り口にノイズフィルタを取り付けて、外来ノイズの進入と電源ラインへのノイズ流出を低減している。【０００３】
ノイズフィルタは、例えば特許文献１や特許文献２に示されるように、ラインに直列に接続されるチョークコイルと、ライン間に接続されるコンデンサと、ラインとグラウンド間に接続されるコンデンサで構成される。
【先行技術文献】
【特許文献】
【０００４】
【特許文献１】特開２００２−２５２５３５号公報
【特許文献２】特開２００５−１８４０７５号公報
【発明の概要】
【発明が解決しようとする課題】
【０００５】
ノイズフィルタ内の装置側にある第１の対地コンデンサと電源側にある第２の対地コンデンサは同一のフィルタグラウンド板に接続され、第２の対地コンデンサ側で装置筐体に接地された場合、第１の対地コンデンサを介してフィルタグラウンド板へ流れたノイズ電流の一部が第２の対地コンデンサを介して電源供給部へ漏れ出てしまう。【０００６】
その他の課題と新規な特徴は、本開示の記述および添付図面から明らかになるであろう。
【課題を解決するための手段】
【０００７】
本開示のうち、代表的なものの概要を簡単に説明すれば、下記のとおりである。
すなわち、複数の対地コンデンサを有するノイズフィルタは、対地コンデンサの接地用グラウンド（フィルタ筐体グラウンド）を対地コンデンサ毎に別体とし、装置筐体グラウンドにそれぞれのフィルタ筐体グラウンドが接続するようにされる。
【発明の効果】
【０００８】
上記ノイズフィルタによれば、ノイズ電流の電源供給部への漏れを低減することができる。
【図面の簡単な説明】
【０００９】
【図１】比較例１に係る三相電源用ノイズフィルタの回路図である。
【図２Ａ】実施の形態に係る三相電源用ノイズフィルタの回路図である。
【図２Ｂ】実施の形態に係る単相電源用ノイズフィルタの回路図である。
【図２Ｃ】実施の形態に係る１電源線ノイズフィルタの回路図である。
【図３】実施例１に係るノイズフィルタの構成を示す図である。
【図４Ａ】実施例１に係るノイズフィルタのシミュレーションモデルを示す図である。
【図４Ｂ】比較例２に係るノイズフィルタのシミュレーションモデルを示す図である。
【図５】実施例１およびに比較例２係るノイズフィルタのシミュレーション結果を示す図である。
【図６】実施例２に係るノイズフィルタの構成を示す図である。
【図７】実施例３に係るノイズフィルタの構成を示す図である。
【図８】実施例４に係るノイズフィルタの構成を示す図である。
【図９】実施例５に係るノイズフィルタの構成を示す図である。
【図１０】実施例６に係るノイズフィルタの構成を示す図である。
【図１１】実施例６に係るノイズフィルタの実装例を示す図である。
【図１２】実施例７に係るＸ線画像診断装置の構成を示す図である。
【発明を実施するための形態】
【００１０】
以下、実施の形態および実施例について、図面を用いて説明する。ただし、以下の説明において、同一構成要素には同一符号を付し繰り返しの説明は省略する。
【００１１】
Ｘ線画像診断装置やＣＴ診断装置等の医療機器では、装置の設置面積を小さくするため、電源線（ライン）へ漏れるノイズを低減する直方体のノイズフィルタを縦置きにし、フィルタの底面のみを装置筐体へ接地している。
【００１２】
図１に比較例１に係る三相電源用ノイズフィルタの回路図を示す。ノイズフィルタ１０は、インバータ等の装置（ノイズ源）側の第１のライン１１ｎ１と電源側の第１のライン１１ｐ１と第１の対地コンデンサＣ１１と第１のチョークコイルＬ１１と第２の対地コンデンサＣ２１と第２のチョークコイルＬ２１を有する。また、ノイズフィルタ１０は、装置（ノイズ源）側の第２のライ１１ｎ２と電源側の第２のライン１１ｐ２と第１の対地コンデンサＣ１２と第１のチョークコイルＬ１２と第２の対地コンデンサＣ２２と第２のチョークコイルＬ２２とを有する。また、ノイズフィルタ１０は、装置（ノイズ源）側の第３のライ１１ｎ３と電源側の第３のライン１１ｐ３と第１の対地コンデンサＣ１３と第１のチョークコイルＬ１３と第２の対地コンデンサＣ２３と第２のチョークコイルＬ２３とを有する。さらに、ノイズフィルタ１０は、フィルタ筐体（フィルタグラウンド板）１２を有する。以下、第１のライン１１ｎ１と第１のライン１１ｐ１との間のノイズフィルタについて説明するが、第２のライ１１ｎ２と第２のライン１１ｐ２との間のノイズフィルタおよび第３のライ１１ｎ３と第３のライン１１ｐ３との間のノイズフィルタは、第１のライン１１ｎ１と第１のライン１１ｐ１との間のノイズフィルタと同じであるので、説明は省略する。
【００１３】
第１の対地コンデンサＣ１１は、第１のライン１１ｎ１とフィルタグラウンド板１２との間に接続される。第１のチョークコイルＬ１１は、第１のライン１１ｎ１と第２のチョークコイルＬ２１との間に直列接続される。第２のチョークコイルＬ２１は、第１のチョークコイルＬ１１と第１のライン１１ｐ１との間に直列接続される。第２の対地コンデンサＣ２１は、第１のチョークコイルＬ１１と第２のチョークコイルＬ２１との接続点とフィルタグラウンド板１２との間に接続される。電源側のフィルタグラウンド板１２が装置筐体（システムグラウンド）１５に接地される。
【００１４】
このため、ノイズフィルタ内の装置側にある第１の対地コンデンサＣ１１と電源側にある第２の対地コンデンサＣ２１は同一のフィルタグラウンド板１２に接続され、第１の対地コンデンサＣ１１を介してフィルタグラウンド板１２へ流れたノイズ電流１３の一部が第２の対地コンデンサＣ２１を介して電源供給部へ漏れ出てしまう。したがって、ノイズ電流１３が電源供給部へ漏れ出てしまうことを抑制するために第２のチョークコイルＬ２１が必要となる。第１および第２のチョークコイルＬ１１、Ｌ２１は、例えばコアは磁性体材料が使用され、第２のチョークコイルの追加はコスト高となる。また、第２のチョークコイルの追加は装置が大型化することになる。なお、符号１４はフィルタグラウンド板１２の寄生インダクタンスを表している。
【００１５】
そこで、実施の形態に係るノイズフィルタは、１電源線（ライン）に対して第１および第２の対地コンデンサと第１のチョークコイルＬ１を有し、第１の対地コンデンサの接地用グラウンド（フィルタ筐体グラウンド）と第２の対地コンデンサの接地用グラウンドを別体とする。
【００１６】
図２Ａは実施の形態に係る三相電源用（電源線が３本の場合）のノイズフィルタの回路図である。図２Ｂは実施の形態に係る単相電源用（電源線が２本の場合）のノイズフィルタの回路図である。図２Ｃは実施の形態に係る電源線が１本の場合のノイズフィルタの回路図である。図２Ａに示すように、ノイズフィルタ１０Ａは、インバータ等の装置（ノイズ源）側の第１のライン１１ｎ１と電源側の第１のライン１１ｐ１と第１の対地コンデンサＣ１１と第１のチョークコイルＬ１１と第２の対地コンデンサＣ２１を有する。また、ノイズフィルタ１０Ａは、装置（ノイズ源）側の第２のライ１１ｎ２と電源側の第２のライン１１ｐ２と第１の対地コンデンサＣ１２と第１のチョークコイルＬ１２と第２の対地コンデンサＣ２２とを有する。また、ノイズフィルタ１０Ａは、装置（ノイズ源）側の第３のライ１１ｎ３と電源側の第３のライン１１ｐ３と第１の対地コンデンサＣ１３と第１のチョークコイルＬ１３と第２の対地コンデンサＣ２３とを有する。さらに、ノイズフィルタ１０Ａは、フィルタ筐体（フィルタグラウンド板）１２ｎ、１２ｐを有する。以下、第１のライン１１ｎ１と第１のライン１１ｐ１との間のノイズフィルタについて説明するが、第２のライ１１ｎ２と第２のライン１１ｐ２との間のノイズフィルタおよび第３のライ１１ｎ３と第３のライン１１ｐ３との間のノイズフィルタは、第１のライン１１ｎ１と第１のライン１１ｐ１との間のノイズフィルタと同じであるので、説明は省略する。
【００１７】
第１の対地コンデンサＣ１１は、第１のライン１１ｎ１とフィルタグラウンド板１２ｎとの間に接続される。第１のチョークコイルＬ１１は、第１のライン１１ｎ１と第１のライン１１ｐ１との間に直列接続される。第２の対地コンデンサＣ２１は、第１のチョークコイルＬ１１と第１のライン１１ｐ１との接続点とフィルタグラウンド板１２ｐとの間に接続される。装置（ノイズ源）側のフィルタグラウンド板（第１の筐体部品）１２ｎと電源側のフィルタグラウンド板（第２の筐体部品）１２ｐとが別々に装置筐体（システムグラウンド）１５に接地される。
【００１８】
図２Ｂに示すように、ノイズフィルタ１０Ｂは、装置（ノイズ源）側の第１のライン１１ｎ１と電源側の第１のライン１１ｐ１と第１の対地コンデンサＣ１１と第１のチョークコイルＬ１１と第２の対地コンデンサＣ２１を有する。また、ノイズフィルタ１０Ｂは、装置（ノイズ源）側の第２のライ１１ｎ２と電源側の第２のライン１１ｐ２と第１の対地コンデンサＣ１２と第１のチョークコイルＬ１２と第２の対地コンデンサＣ２２とを有する。さらに、ノイズフィルタ１０２は、フィルタ筐体（フィルタグラウンド板）１２ｎ、１２ｐを有する。以下、第１のライン１１ｎ１と第１のライン１１ｐ１との間のノイズフィルタについて説明するが、第２のライ１１ｎ２と第２のライン１１ｐ２との間のノイズフィルタは、第１のライン１１ｎ１と第１のライン１１ｐ１との間のノイズフィルタと同じであるので、説明は省略する。
【００１９】
第１の対地コンデンサＣ１１は、第１のライン１１ｎ１とフィルタグラウンド板１２ｎとの間に接続される。第１のチョークコイルＬ１１は、第１のライン１１ｎ１と第１のライン１１ｐ１との間に直列接続される。第２の対地コンデンサＣ２１は、第１のチョークコイルＬ１１と第１のライン１１ｐ１との接続点とフィルタグラウンド板１２ｐとの間に接続される。装置（ノイズ源）側のフィルタグラウンド板（第１の筐体部品）１２ｎと電源側のフィルタグラウンド板（第２の筐体部品）１２ｐとが別々に装置筐体（システムグラウンド）１５に接地される。
【００２０】
図２Ｃに示すように、ノイズフィルタ１０Ｃは、装置（ノイズ源）側の第１のライン１１ｎ１と電源側の第１のライン１１ｐ１と第１の対地コンデンサＣ１１と第１のチョークコイルＬ１１と第２の対地コンデンサＣ２１を有する。さらに、ノイズフィルタ１０２は、フィルタ筐体（フィルタグラウンド板）１２ｎ、１２ｐを有する。
【００２１】
第１の対地コンデンサＣ１１は、第１のライン１１ｎ１とフィルタグラウンド板１２ｎとの間に接続される。第１のチョークコイルＬ１１は、第１のライン１１ｎ１と第１のライン１１ｐ１との間に直列接続される。第２の対地コンデンサＣ２１は、第１のチョークコイルＬ１１と第１のライン１１ｐ１との接続点とフィルタグラウンド板１２ｐとの間に接続される。装置（ノイズ源）側のフィルタグラウンド板（第１の筐体部品）１２ｎと電源側のフィルタグラウンド板（第２の筐体部品）１２ｐとが別々に装置筐体（システムグラウンド）１５に接地される。
【００２２】
実施に形態に係るノイズフィルタは、複数の対地コンデンサごとに装置筐体（システムグラウンド）へのノイズ電流経路を分離することでフィルタ筐体へ漏洩したノイズ電流の対地コンデンサ間における電流／電圧干渉を低減することができる。
【００２３】
以下の実施例では、電源線が１本の場合について説明するが、それに限定されるものではない。例えば、電源線が２本（単相）および電源線が３本（三相）にも適用できることはいうまでもない。また、１本の電源線に対し、チョークコイルが１つ、対地コンデンサは２つの場合について説明するが、それに限定されるものではない。例えば、１本の電源線に対し、チョークコイルが２つで対地コンデンサは２つの場合、１本の電源線に対し、チョークコイルが２つで対地コンデンサは３つの場合などに適用できることはいうまでもない。
【実施例１】
【００２４】
図３は実施例１に係るノイズフィルタの構成および装置筐体に搭載した状態を示す図である。図３は模式的な側面図である。フィルタグラウンド板（第１の筐体部品）３２ｎとフィルタグラウンド板（第２の筐体部品）３２ｐとの間に、上から順に第１の対地コンデンサＣ１１、第１のチョークコイルＬ１１、第２の対地コンデンサＣ２１が配置されている。フィルタグラウンド板３２ｎ、３２ｐはＬ字状導体で構成されており、装置筐体接続部３２ｎｃ、３２ｐｃが装置筐体３５の上に搭載されている。第１の対地コンデンサＣ１１はフィルタグラウンド板３２ｎに、第２の対地コンデンサＣ２１はフィルタグラウンド板３２ｐに接続されている。第１のノイズ電流１３１は第１の対地コンデンサＣ１１およびフィルタグラウンド板３２ｎを経由して装置筐体３５に流れる。第１のチョークコイルＬ１１で阻止できなかった第２のノイズ電流１３２は第１のチョークコイルＬ１１、第２の対地コンデンサＣ２１およびフィルタグラウンド板１２ｐを経由して装置筐体３５に流れるので、ノイズ電源が電源側に流れることを抑制することができる。【００２５】
図４Ａは実施例１に係るノイズフィルタのシミュレーションモデルを示すである。図４Ｂは比較例２に係るノイズフィルタのシミュレーションモデルを示すである。実施例１のノイズフィルタおよび比較例２のノイズフィルタのシミュレーションモデルは、それぞれ電源線が２本（単相）の場合としている。第１のライン１１ｎ１と装置筐体３５との間および第２のライン１１ｎ２と装置筐体３５との間にノイズ源を挿入し、第１のライン１１ｐ１の端子１と第２のライン１１ｐ２の端子２をノイズ観測点としている。比較例２のノイズフィルタのシミュレーションモデルでは、フィルタグラウンド板３２ｐの有無による影響を除くため、実施例１のノイズフィルタのシミュレーションモデルと同様にフィルタグラウンド板３２ｐを設けている。ただし、比較例２のノイズフィルタのシミュレーションモデルでは、第２の対地コンデンサＣ２１、Ｃ２２はフィルタグラウンド板３２ｎに接続されているが、第２の対地コンデンサＣ２１、Ｃ２２はフィルタグラウンド板３２ｐに接続されていない。なお、フィルタグラウンド板３２ｎ、３２ｐの幅（Ｚ方向の長さ）は約２５ｃｍ、高さ（Ｙ方向の長さ）は約５０ｃｍである。【００２６】
図５は比較例２および実施例１に係るノイズフィルタのシミュレーション結果を示す図である。ノイズ周波数が０．１ＭＨｚ（１００ＫＨｚ）におけるノイズ低減量は、比較例２では約１５ｄＢであるが、実施例１では４０ｄＢ以上である。なお、ノイズ周波数が１００ＭＨｚでは、実施例１のノイズ低減量と比較例２のノイズ低減量が逆転しているが、インバータやコンバータのノイズ周波数は１０ＫＨｚ〜１００ＫＨｚ程度であるので、実施例１のノイズフィルタのノイズ低減量は充分である。
【実施例２】
【００２７】
図６は実施例２に係るノイズフィルタの構成を示す図である。本実施例に係るノイズフィルタ６０１は、フィルタグラウンド板（第１の筐体部品）６２ｎにフィルタグラウンド板（第２の筐体部品）６２ｐを固定する構造である。この固定にはスペーサが用いられる。以下、詳細に説明する。【００２８】
第１の対地コンデンサ搭載基板６６はフィルタグラウンド板６２ｎの上に搭載される。第１の対地コンデンサＣ１１は第１の対地コンデンサ搭載基板６６の上に搭載される。第１の対地コンデンサＣ１１の一方の端子は第１のライン１１ｎ１と接続され、他方の端子はフィルタグラウンド板６２ｎの接続点６Ａに接続される。フィルタグラウンド板６２ｐは、絶縁スペーサ６８および導電スペーサ６９を介してフィルタグラウンド板６２ｎの上に搭載される。絶縁スペーサ６８は装置筐体接続部６２ｎｃ（底面）にから遠い位置にあり、フィルタグラウンド板６２ｎと絶縁される。導電スペーサ６９は装置筐体接続部６２ｎｃに近い位置にあり、フィルタグラウンド板６２ｎと導通される。第２の対地コンデンサ搭載基板６７はフィルタグラウンド板６２ｐ上に搭載される。第２の対地コンデンサＣ２１は第２の対地コンデンサ搭載基板６７の上に搭載される。第２の対地コンデンサＣ２１の一方の端子は第１のライン１１ｐ１と接続され、他方の端子はフィルタグラウンド板６２ｐの接続点６Ｂに接続される。第１のチョークコイルＬ１１は第１のライン１１ｎ１と第１のライン１１ｐ１との間に接続される。フィルタグラウンド板６２ｎは装置筐体接続部６２ｎｃを有している。装置筐体接続部６２ｎｃの底面は装置筐体３５に接続するようにされる。【００２９】
ノイズ電流は第１の対地コンデンサＣ１１およびフィルタグラウンド板６２ｎを経由して装置筐体３５に流れる。第１のチョークコイルＬ１１で阻止できなかったノイズ電流は第１のチョークコイルＬ１１、第２の対地コンデンサＣ２１およびフィルタグラウンド板６２ｐを経由して装置筐体３５に流れる。したがって、ノイズフィルタ６０１は、ノイズ電流が電源側に流れることを抑制することができる。【００３０】
第１の対地コンデンサＣ１１、第２の対地コンデンサＣ２１、および第１のチョークコイルＬ１１は、フィルタグラウンド板６２ｐとフィルタグラウンド板６２ｎに挟まれていないので、ノイズフィルタ６０１は、実装面に対してアクセスしやすく作業性が良い。また、フィルタグラウンド板６２ｐはフィルタグラウンド板６２ｎにサブアッセンブリできるため、ノイズフィルタ６０１は、運搬や装置筐体への実装などハンドリング（可搬性）が良い。
【実施例３】
【００３１】
図７は実施例３に係るノイズフィルタの構成を示す図である。本実施例に係るノイズフィルタ７０１は、実施例２と同様にフィルタグラウンド板（第１の筐体部品）６２ｎにフィルタグラウンド板（第２の筐体部品）６２ｐを固定する構造である。ただし、この固定方法が異なる。以下、実施例２との相違点を中心に説明する。【００３２】
フィルタグラウンド板６２ｐは、絶縁スペーサ７８および導電板７９を介してフィルタグラウンド板６２ｎの上に搭載される。絶縁スペーサ７８は装置筐体接続部６２ｎｃ（底面）にから遠い位置にあり、フィルタグラウンド板６２ｎと絶縁される。導電板７９は装置筐体接続部６２ｎｃに近い位置にあり、フィルタグラウンド板６２ｎと導通される。フィルタグラウンド板６２ｎとフィルタグラウンド板６２ｐとの接続に接続面積が大きい導電板７９を使用しているので、実施例２に比べて安定した接地を行うことができる。【００３３】
また、実施例２と同様に、第１の対地コンデンサＣ１１、第２の対地コンデンサＣ２１、および第１のチョークコイルＬ１１は、フィルタグラウンド板６２ｐとフィルタグラウンド板６２ｎに挟まれていないので、実装面に対してアクセスしやすく作業性が良い。また、フィルタグラウンド板６２ｐはフィルタグラウンド板６２ｎにサブアッセンブリできるため運搬や装置筐体への実装などハンドリング（可搬性）が良い。
【実施例４】
【００３４】
図８は実施例４に係るノイズフィルタの構成を示す図である。本実施例に係るノイズフィルタ８０１は、実施例２および実施例３とは異なり、フィルタグラウンド板８２ｎに第１の対地コンデンサＣ１１および第２の対地コンデンサＣ２１を実装するが、第１の対地コンデンサＣ１１の接地点と第２の対地コンデンサＣ２１の接地点の間にスリット８８を設ける構造である。フィルタグラウンド板（第１の筐体部品）８２ｎとは別体のフィルタグラウンド板（第２の筐体部品）８２ｐはスリット８８によって構成される。以下、詳細に説明する。【００３５】
第１の対地コンデンサ搭載基板６６はフィルタグラウンド板８２ｎの上に搭載される。第１の対地コンデンサＣ１１は第１の対地コンデンサ搭載基板６６の上に搭載される。第１の対地コンデンサＣ１１の一方の端子は第１のライン１１ｎ１と接続され、他方の端子はフィルタグラウンド板８２ｎの接続点６Ａに接続される。第２の対地コンデンサ搭載基板６７はフィルタグラウンド板８２ｎ上に搭載される。フィルタグラウンド板８２ｎは、第２の対地コンデンサ搭載基板６７の３方を取り囲むようにスリット８８を有する。第２の対地コンデンサＣ２１は第２の対地コンデンサ搭載基板６７の上に搭載される。第２の対地コンデンサＣ２１の一方の端子は第１のライン１１ｐ１と接続され、他方の端子はフィルタグラウンド板８２ｐの接続点６Ｂに接続される。第１のチョークコイルＬ１１は第１のライン１１ｎ１と第１のライン１１ｐ１との間に接続される。フィルタグラウンド板８２ｎは装置筐体接続部６２ｎｃを有している。装置筐体接続部６２ｎｃの底面は装置筐体３５に接続するようにされる。【００３６】
スリット８８は第１の対地コンデンサＣ１１から装置筐体接続部６２ｎｃへ流れる電流が第２の対地コンデンサＣ２１のフィルタグラウンド板８２ｐとの接続部を通らないように構成されていればよいのであって、図８の構成に限定されるものではない。【００３７】
本実施例では、フィルタグラウンド板は１枚のみを使用するため、低コスト化・低組立工数化・軽量化ができる。
【実施例５】
【００３８】
図９は実施例５に係るノイズフィルタの構成を示す図である。本実施例に係るノイズフィルタ９０１は、接地ストラップ（編組線）９２ｎ、９２ｐを用いて第１の対地コンデンサＣ１１および第２の対地コンデンサＣ２１を装置筐体接続部９Ｃｎｃへ接続する構造である。以下、詳細に説明する。【００３９】
第１の対地コンデンサ搭載基板６６は固定板９Ｃｎの上に搭載される。第１の対地コンデンサＣ１１は第１の対地コンデンサ搭載基板６６の上に搭載される。第１の対地コンデンサＣ１１の一方の端子は第１のライン１１ｎ１と接続され、他方の端子は接地ストラップ（第１の筐体部品）９２ｎよって装置筐体接続部９Ｃｎｃに接続される。第２の対地コンデンサ搭載基板６７は固定板９Ｃｎ上に搭載される。第２の対地コンデンサＣ２１は第２の対地コンデンサ搭載基板６７の上に搭載される。第２の対地コンデンサＣ２１の一方の端子は第１のライン１１ｐ１と接続され、他方の端子は接地ストラップ（第２の筐体部品）９２ｐよって装置筐体接続部９Ｃｎｃに接続される。第１のチョークコイルＬ１１は第１のライン１１ｎ１と第１のライン１１ｐ１との間に接続される。固定板９Ｃｎは装置筐体接続部９Ｃｎｃを有している。装置筐体接続部９Ｃｎｃの底面は装置筐体３５に接続するようにされる。【００４０】
固定板９Ｃｎは導電性でなくともよく、導電性であっても第１の対地コンデンサＣ１１および第２の対地コンデンサＣ２１と接地ストラップ９２ｎ、９２ｐ以外の経路での接続は無い。接地ストラップ９２ｎ、９２ｐは導電性のバーや配線でも良い。【００４１】
対地コンデンサなどフィルタ素子の配置の自由度が高くなる。また、固定板を金属以外にすることで軽量化・低コスト化ができる。
【実施例６】
【００４２】
図１０は実施例６に係るノイズフィルタの構成を示す図である。本実施例のノイズフィルタＡ０１は、第１の対地コンデンサＣ１１と第２の対地コンデンサＣ２１と第１のチョークコイルＬ１１が直方体形状のケース１０Ｄに格納されている。第１の対地コンデンサＣ１１は装置筐体接続部１０２ｎに、第２の対地コンデンサＣ２１は装置筐体接続部１０２ｐに接続されている。装置筐体接続部（第１の筐体部品）１０２ｎと装置筐体接続部（第２の筐体部品）１０２ｐは分離されている。装置筐体接続部１０２ｎと装置筐体接続部１０２ｐはケース１０Ｄの１面に配置されている。ケース１０Ｄは非導電材料で形成されており、装置筐体接続部１０２ｎと装置筐体接続部１０２ｐはケース１０Ｄを介して電気的に接続されない。【００４３】
ノイズフィルタをモジュール化することで種々の装置間で共通化しやすくすることができる。【００４４】
図１１は実施例６に係るノイズフィルタの実装例を示す正面図である。ノイズフィルタＡ０１は、フィルタグラウンド板１１２ｎとフィルタグラウンド板１１ｐに取り付けられている。装置筐体接続部１０２ｎがフィルタグラウンド板１１２ｎと接続され、装置筐体接続部１０２ｐがフィルタグラウンド板１１ｐに接続される。フィルタグラウンド板１１２ｎは装置筐体接続部１１２ｎｃを介して装置筐体１１５の上に搭載され、フィルタグラウンド板１１ｐは装置筐体接続部１１２ｐｃを介して装置筐体１１５の上に搭載されている。フィルタグラウンド板１１２ｎとフィルタグラウンド板１１ｐとは分離されている。
【実施例７】
【００４５】
図１２は実施例７に係るＸ線画像診断装置およびノイズ評価システムの構成を示す図である。Ｘ線画像診断装置１２０は高電圧発生回路１２８とＸ線管球１２７とを有する。高電圧発生回路１２８は、電源フィルタ１２３と整流回路１２４とスイッチング回路１２５と高圧発生用トランス１２６を有する。電源フィルタ１２３には実施例１から実施例６のいずれか１つに係るノイズフィルタを３相で構成したものが使用される。Ｘ線画像診断装置１２０として使用されるときは、疑似電源回路網１２２を取り除いて、電源１２１と接続される。電源１２１は、例えば、４１５Ｖの交流電源である。Ｘ線画像診断装置１２０のノイズ評価を行うときは、電源１２１とＸ線画像診断装置１２０との間に疑似電源回路網１２２が挿入される。【００４６】
電源フィルタ１２３は実施例１から実施例６のいずれか１つに係るノイズフィルタを３相で構成したものであり、電源フィルタ１２３を縦置きにしてもノイズ電源が電源側に流れることを抑制することができる。電源フィルタ１２３を縦置きにすることにより、Ｘ線画像診断装置の設置面積を小さくすることができる。電源フィルタ１２３はＣＴ診断装置等の医療機器にも適用することができる。【００４７】
以上、本発明者らによってなされた発明を実施の形態および実施例に基づき具体的に説明したが、本発明はこれまで記載した実施の形態および実施例に限定されるものではなく、種々変更可能であることはいうまでもない。
【符号の説明】
【００４８】
１０Ｃ・・・ノイズフィルタ
１１ｎ１、１１ｐ１・・・第１のライン
１２ｎ・・・フィルタグラウンド板（第１の筐体部品）
１２ｐ・・・フィルタグラウンド板（第２の筐体部品）
１５・・・装置筐体
Ｃ１１・・・第１の対地コンデンサ
Ｃ２１・・・第２の対地コンデンサ
Ｌ１１・・・第１のチョークコイル
【図１】
2015012050.tif 000003
【図２Ａ】
2015012050.tif 000004
【図２Ｂ】
2015012050.tif 000005
【図２Ｃ】
2015012050.tif 000006
【図３】
2015012050.tif 000007
【図４Ａ】
2015012050.tif 000008
【図４Ｂ】
2015012050.tif 000009
【図５】
2015012050.tif 000010
【図６】
2015012050.tif 000011
【図７】
2015012050.tif 000012
【図８】
2015012050.tif 000013
【図９】
2015012050.tif 000014
【図１０】
2015012050.tif 000015
【図１１】
2015012050.tif 000016
【図１２】
2015012050.tif 000017
【国際調査報告】
2015012050.tif 000018
2015012050.tif 000019